(57)【特許請求の範囲】
【請求項１】
焦点検出可能範囲内に縦方向及び横方向に複数の列をなして配置された複数の焦点検出領域の中から焦点を合わせる被写体に対応する一部の焦点検出領域を選択操作に応じて選択する任意選択モードから、焦点を合わせる被写体に対応する一部の焦点検出領域を前記複数の焦点検出領域の中の何れかから自動選択する自動選択モードへの設定変更を行うために操作される操作手段と、
焦点検出領域を被写体像とスーパーインポーズ表示する表示手段を備えており、
前記表示手段は、前記操作手段を介して前記焦点検出可能範囲内から焦点検出可能範囲外に焦点検出領域の選択が行われることによって、前記任意選択モードから前記自動選択モードへの設定変更が行われた場合に、前記縦方向及び横方向に複数の列をなす複数の焦点検出領域のうち前記焦点検出可能範囲の外周を構成するすべての焦点検出領域であって、かつ前記任意選択モードにおける表示パターンとは異なる表示パターンの焦点検出領域を被写体像とスーパーインポーズ表示することを特徴とするカメラ。
【請求項２】
焦点検出可能範囲内に縦方向及び横方向に複数の列をなして配置された複数の焦点検出領域の中から焦点を合わせる被写体に対応する一部の焦点検出領域を選択操作に応じて選択する任意選択モードから、焦点を合わせる被写体に対応する一部の焦点検出領域を前記複数の焦点検出領域の中の何れかから自動選択する自動選択モードへの設定変更を行うために操作される操作手段と、
焦点検出領域を被写体像とスーパーインポーズ表示する表示手段を備えており、
前記表示手段は、前記操作手段を介して前記焦点検出可能範囲内から焦点検出可能範囲外に焦点検出領域の選択が行われることによって、前記任意選択モードから前記自動選択モードへの設定変更が行われた場合に、前記縦方向及び横方向に複数の列をなす複数の焦点検出領域のうち前記焦点検出可能範囲の外周を構成する一部の焦点検出領域であって、かつ前記任意選択モードにおける表示パターンとは異なる表示パターンの焦点検出領域を被写体像とスーパーインポーズ表示することを特徴とするカメラ。
【発明の詳細な説明】
【０００１】
【発明の属する技術分野】
本発明は、ファインダー視野内に複数の焦点検出領域を有し、焦点検出動作が行われる焦点検出領域をスーパーインポーズ表示するカメラに関するものである。
【０００２】
【従来の技術】
ファインダー視野内に複数（例えば、５個）の焦点検出領域を有するカメラが従来多用されている。このようなカメラには、撮影者の選択操作に応じてその中の一部の領域を焦点検出動作を行う領域として設定する任意選択モードと、カメラが自動的に焦点検出動作を行う焦点検出領域を設定する（例えば、全焦点検出領域を焦点検出動作を行う領域として設定する）自動選択モードとを選択的に設定できるものがある。
【０００３】
そして、このようなカメラでは、任意選択モードが設定されたときには選択操作に応じて設定された焦点検出動作をファインダー視野内にて点灯表示し、自動選択モードが設定されたときには５領域のすべてを点灯表示させるようになっていることが多い。
【０００４】
【発明が解決しようとする課題】
ところで、ファインダー視野内に設けられる焦点検出領域数は、カメラの高機能化に伴い増加する傾向にある。しかしながら、焦点検出領域数が増加したカメラにおいて、従来のように自動選択モード設定時に全焦点検出領域を点灯表示すると、ファインダー視野内での点灯表示部分の割合が多くなってしまい、ファインダー観察を良好に行えなくなるおそれがある。
【０００５】
そこで、本発明は、ファインダー視野内の焦点検出領域数が増加しても、自動選択モード設定時に良好なファインダー観察状態を確保できるようにしたカメラを提供することを目的としている。
【０００７】
【課題を解決するための手段】
上記の目的を達成するために、本願第１の発明は、焦点検出可能範囲内に縦方向及び横方向に複数の列をなして配置された複数の焦点検出領域の中から焦点を合わせる被写体に対応する一部の焦点検出領域を選択操作に応じて選択する任意選択モードから、焦点を合わせる被写体に対応する一部の焦点検出領域を複数の焦点検出領域の中の何れかから自動選択する自動選択モードへの設定変更を行うために操作される操作手段と、焦点検出領域を被写体像とスーパーインポーズ表示する表示手段を備えており、表示手段は、操作手段を介して焦点検出可能範囲内から焦点検出可能範囲外に焦点検出領域の選択が行われることによって、任意選択モードから自動選択モードへの設定変更が行われた場合に、縦方向及び横方向に複数の列をなす複数の焦点検出領域のうち焦点検出可能範囲の外周を構成するすべての焦点検出領域であって、かつ任意選択モードにおける表示パターンとは異なる表示パターンの焦点検出領域を被写体像とスーパーインポーズ表示させるようにしている。また、本願第２の発明は、焦点検出可能範囲内に縦方向及び横方向に複数の列をなして配置された複数の焦点検出領域の中から焦点を合わせる被写体に対応する一部の焦点検出領域を選択操作に応じて選択する任意選択モードから、焦点を合わせる被写体に対応する一部の焦点検出領域を複数の焦点検出領域の中の何れかから自動選択する自動選択モードへの設定変更を行うために操作される操作手段と、焦点検出領域を被写体像とスーパーインポーズ表示する表示手段を備えており、表示手段は、操作手段を介して焦点検出可能範囲内から焦点検出可能範囲外に焦点検出領域の選択が行われることによって、任意選択モードから自動選択モードへの設定変更が行われた場合に、縦方向及び横方向に複数の列をなす複数の焦点検出領域のうち焦点検出可能範囲の外周を構成する一部の焦点検出領域であって、かつ任意選択モードにおける表示パターンとは異なる表示パターンの焦点検出領域を被写体像とスーパーインポーズ表示させるようにしている。
【０００８】
具体的には、自動選択モード設定時に、焦点検出可能範囲の外周を構成する焦点検出領域（の全部又は一部）を被写体像とスーパーインポーズ表示させるようにしている。
【０００９】
このように構成された本発明を用いることにより、撮影者は、自動選択モード設定時において全焦点検出領域が点灯表示される場合に比べてファインダー観察を良好に行えるとともに、自動選択モードが設定されていることを明確に認識することが可能となる。
【００１５】
【発明の実施の形態】
（第１実施形態）
図１には、本発明の第１実施形態である一眼レフレックスカメラの光学配置を示している。この図において、１は撮影レンズである。なお、図１では、撮影レンズ１を２枚のレンズ１ａ，１ｂにより示したが、実際の撮影レンズは多数のレンズから構成されている。
【００１６】
２は主ミラーであり、ファインダー観察時には撮影光路内に斜設される一方、撮影時には撮影光路内から待避される。３はサブミラーであり、ファインダー観察時に主ミラー２を透過した光束をカメラボディの下方へ向けて反射する。４はシャッターである。
【００１７】
５は感光部材であり、銀塩フィルム、ＣＣＤ、ＭＯＳ型等の固体撮像素子あるいはビジコン等の撮像管により構成される。
【００１８】
６はカメラボディの下部に配置された焦点検出装置であり、結像面近傍に配置されたフィールドレンズ６ａと、反射ミラー６ｂ，６ｃと、２次結像レンズ６ｄと、絞り６ｅと、複数のＣＣＤ等からなるエリアセンサ６ｆ等とから構成されている。この焦点検出装置６は、図２に示すようにファインダー視野内の観察画面２４６内に配置されている複数の焦点検出領域２０１〜２４５について周知の位相差方式を用いて焦点検出動作を行う。ここで、複数の焦点検出領域２０１〜２４５は、図２に示すように、観察画面２４６の横方向および縦方向に複数の列をなして配置されている。なお、観察画面２４６内におけるこれら複数の焦点検出領域２０１〜２４５が設けられた範囲を、以下、焦点検出可能範囲という（言い換えれば、複数の焦点検出領域２０１〜２４５により焦点検出可能範囲が構成されている）。
【００１９】
７は撮影レンズ１の予定結像面に配置されたピント板であり、８はファインダー光路変更用のペンタプリズムである。撮影レンズ１に取り入れられた被写体からの光は、主ミラー２で反射してファインダー光路Ｘ１上の光と測光用光路Ｘ２上の光とに分かれる。ファインダー光路Ｘ１上の光はピント板７上に結像し、さらにピント板７を透過した光はペンタプリズム８内で反射され、ハーフミラー１２および接眼レンズ１１を透過して観察者の瞳孔１８に導かれる。また、測光用光路Ｘ２上の光は、ペンタプリズム８内で反射され、結像レンズ９を通して測光センサ１０に導かれる。測光センサ１０は、ピント板７と共役関係にあり、結像レンズ９によりセンサ表面に結像された被写体像（ピント板７上に結像した被写体像と同じ像）の輝度を測定する。
【００２０】
また、カメラボディの上部には、スーパーインポーズ表示装置が配置されている。このスーパーインポーズ表示装置は、バックライトＬＥＤ１７と、フレネルレンズ１６と、前述した複数の焦点検出領域２０１〜２４５に対応した表示セグメントが形成されている焦点検出領域表示用液晶パネル１５と、ミラー１４と、投影レンズ１３とから構成されている。バックライトＬＥＤ１７から発せられた光はフレネルレンズ１６に入射して集光され、焦点検出領域表示用液晶パネル１５に入射する。この表示用液晶パネル１５を透過した光束はミラー１４で反射され、投影レンズ１３によって集光された後、ハーフミラー１２によってファインダー光路Ｘ１上の光（被写体像）と合成され、接眼レンズ１１を介して観察者の瞳孔１８に導かれる。これにより、焦点検出領域２０１〜２４５が観察画面２４６内で光り、焦点検出動作を行う焦点検出領域を表示させる（以下、これをスーパーインポーズ表示という）。
【００２１】
なお、図１および図２に示す２１はファインダ視野マスクである。また、２０はファインダ視野内の観察画面外領域２４７に撮影情報を表示するためのファインダ内ＬＣＤであり、図１に示す照明用ＬＥＤ（Ｆ−ＬＥＤ）１９によって照明される。ファインダ内ＬＣＤ２０を通過した光は三角プリズム２２によってファインダー内に導かれ、図２に示す観察画面外領域２４７に表示される。
【００２２】
また、図１に示す３１は撮影レンズ１内に設けられた絞り、３２は絞り駆動回路、３３はレンズ駆動用モータ、３４は駆動ギヤ等からなるレンズ駆動部材である。３５はフォトカプラであり、レンズ駆動部材３４に連動するパルス板３６の回転を検知してレンズ焦点調節回路３８に伝える。３８はレンズ焦点調節回路で、フォトカプラ３５からの情報とレンズ制御回路３９からのレンズ駆動量の情報に基づいてレンズ駆動用モータ３３を所定量駆動させ、撮影レンズ１の合焦レンズ１ａを合焦位置に移動させる。３９はレンズ制御回路で、カメラからの情報に基づいてレンズ焦点調節回路３８と絞り駆動回路３２の制御を行う。３７は公知のカメラとレンズとのインターフェイスとなるマウント接点である。
【００２３】
図３には、上記カメラに内蔵された電気回路の構成を示している。この図において、１００はカメラ本体に内蔵された制御手段であるマイクロコンピュータ（中央処理装置、以下ＭＰＵと記す）である。ＭＰＵ１００の動作周波数は、発振回路１０１で作られた源発振回路をＭＰＵ１００内の信号により、分周しない、１／２に分周する、１／１６に分周するなどして決められる。１００ｂはＥＥＰＲＯＭであり、フィルムカウンタその他の撮影情報を記憶する。１００ｃはＡ／Ｄ変換器であり、後述するように焦点検出回路１０３および多分割測光センサ１０４から入力されるアナログ信号をＡ／Ｄ変換する。
【００２４】
ＭＰＵ１００には、液晶表示回路１０２，焦点検出回路１０３，測光回路１０４，シャッター制御回路１０５，モータ制御回路１０６，フィルム走行検知回路１０７およびスイッチセンス回路１０８が接続されている。また、撮影レンズ１内に配置されたレンズ制御回路３９とは、図１で示したマウント接点３７を介して接続されている。
【００２５】
液晶表示回路１０２は、焦点検出領域表示用液晶パネル（ファインダ内ＬＣＤ）１５とファインダ視野２４６外のファインダ内ＬＣＤ２０の表示をＭＰＵ１００からの信号に従って制御する。
【００２６】
エリアセンサ６ｆは、前述の様に複数の測距点２０１〜２４５に対応した４５組から構成されるＣＣＤ等からなる。
【００２７】
焦点検出回路１０３は、ＭＰＵ１００の信号に従い、エリアセンサ６ｆの蓄積制御と読み出し制御とを行って、それぞれの画素情報をＭＰＵ１００に出力する。ＭＰＵ１００はこの情報をＡ／Ｄ変換し、周知の位相差検出法による焦点検出を行い、検出した焦点検出情報をレンズ制御回路３９へ送出してレンズの焦点調節を行わせる。
【００２８】
測光回路１０４は、観察画面内の各エリアの輝度信号として、測光センサ１０からの出力をＭＰＵ１００に出力する。ＭＰＵ１００は輝度信号をＡ／Ｄし、撮影の露出の調整を行う。
【００２９】
シャッター制御回路１０５は、ＭＰＵ１００からの信号に従って、マグネットＭＧ−１，ＭＧ−２を制御することによりシャッター先幕，シャッター後幕を走行させ、露出制御を行う。
【００３０】
モータ制御回路１０６は、ＭＰＵ１００からの信号に従ってモータＭを制御することにより、主ミラー２のアップダウンおよびシャッターのチャージ、そしてフィルムの給送を行う。
【００３１】
フィルム走行検知回路１０７は、フィルム給送時にフィルムが１駒分巻き上げられたかを検知し、ＭＰＵ１００に信号を送る。
【００３２】
ＳＷ１は不図示のレリーズボタンの第１ストローク操作でＯＮし、測光，ＡＦ，動作を開始させるためのスイッチであり、ＳＷ２はレリーズボタンの第２ストローク操作でＯＮし、露光動作を開始させるためのスイッチである。
【００３３】
焦点検出領域選択ＳＷはカメラ（ＭＰＵ１００）を焦点検出領域選択モードに移行させるためのスイッチであり、カメラがこの焦点検出領域選択モードに移行したときにこの選択ＳＷを操作することにより、後述する自動選択モードと任意選択モードの切替え設定又は任意選択モードでの焦点検出領域の選択設定を行うことができる。
【００３４】
メインダイヤルＳＷおよびサブダイヤルＳＷは、左右どちらでも回転操作可能であり、位相の違う２つの信号を発生させるスイッチである。これらスイッチＳＷ１，ＳＷ２，焦点検出領域選択ＳＷ，メインダイヤルＳＷ，サブダイヤルＳＷおよびその他不図示のカメラの操作部材の状態信号は、スイッチセンス回路１１０が検知し、検知信号がＭＰＵ１００に送られる。なお、後述するように、上記任意選択モード設定時にメインダイヤルＳＷを操作すると、複数の焦点検出領域２０１〜２４５のうち焦点検出動作を行う焦点検出領域を観察画面２４６の縦方向（上下方向）に移動させることができ、サブダイヤルＳＷを操作すると、焦点検出動作を行う焦点検出領域を観察画面２４６の横方向（左右方向）に移動させることができる。
【００３５】
次に、図４（ａ），（ｂ）のフローチャートおよび図５（ａ）〜（ｆ）を用いて、上記カメラ（ＭＰＵ１００）の動作について説明する。
【００３６】
図４（ａ）において、カメラの動作が開始すると、ＭＰＵ１００は、まずステップ＃０１にて、ＭＰＵ１００内部の初期化を行う。次に、ステップ＃０２では、焦点検出モードやフィルムカウンタ等、記憶している撮影情報を読み込む動作を行う。
【００３７】
次に、ステップ＃０３において、スイッチセンス回路１０８と通信を行い、スイッチの状態の検出を行う。
【００３８】
そして、ステップ＃０４において、カメラを焦点検出領域選択モードに移行させるための焦点検出領域選択ＳＷがオンか否かを判別し、オフしていればステップ＃０６に、オンならばステップ＃０５に進む。
【００３９】
ステップ＃０５では、カメラを焦点検出領域選択モードに設定する。ここで、この焦点検出領域選択モードにおけるカメラの表示および操作について図４（ｂ）と図６（ａ）〜（ｆ）を併せ用いて説明する。焦点検出領域選択モードに移行すると、まずステップ＃２０では、現在の選択モードに合ったスーパーインポーズ表示をファインダー内に行う。なお、カメラの動作開始時における選択モードは、ＥＥＰＲＯＭ内のデータにより設定される。
【００４０】
ここで、選択モードには、撮影者が焦点検出動作を行う焦点検出領域を任意に設定可能な任意選択モードと、カメラが自動的に焦点検出動作を行う焦点検出領域を設定する（例えば、全焦点検出領域を焦点検出動作を行う領域として設定する）自動選択モードとがある。
【００４１】
任意選択モードでは、図６（ｂ）に太線で囲って示すように、全焦点検出領域のうち選択された１点又は２点のみがスーパーインポーズ表示される。また、自動選択モードでは、図６（ａ）に太線で囲って示すように、全焦点検出領域のうち一部の焦点検出領域を、選択された領域を点灯表示する任意選択モード設定時とは異なるパターンで、すなわち上記焦点検出可能範囲の外周を構成する焦点検出領域のうち一部の焦点検出領域が点灯表示される。
【００４２】
ステップ＃２１において、サブダイヤルＳＷからの信号に変化があったか否かを判別し、変化がなければステップ＃２３に、変化があればステップ＃２２に進む。ステップ＃２２においては、サブダイヤルＳＷからの信号変化がサブダイヤルＳＷの右方向回転操作に対応する変化であったときは、その変化量に応じて焦点検出動作を行う焦点検出領域を下方向に移動させる。一方、サブダイヤルＳＷからの信号変化がサブダイヤルＳＷの左方向回転操作に対応する変化であったときは、その変化量に応じて焦点検出動作を行う焦点検出領域を上方向に移動させる。また、これら焦点検出領域の移動に伴い、移動後の焦点検出領域をスーパーインポーズ表示させる。
【００４３】
なお、本実施形態では、図２に示すように、上下の焦点検出領域が互いに横方向にずれて配置されている（すなわち、縦列が１領域→２領域→１領域…というように構成されている）。このため、図５（ａ）１又は５に示すように所定縦列の上端又は下端の１点が焦点検出動作を行う焦点検出領域として設定された状態でサブダイヤルＳＷの回転操作が行われると、図５（ａ）１〜５に示すように、焦点検出動作を行う焦点検出領域が１領域→２領域→１領域…と変更されながら縦方向に移動する。また、図５（ｂ）１又は５に示すように所定縦列の上端又は下端の２点が焦点検出動作を行う焦点検出領域として設定された状態でサブダイヤルＳＷの回転操作が行われると、図５（ｂ）１〜５に示すように、焦点検出動作を行う焦点検出領域が２領域→１領域→２領域…と変更されながら縦方向に移動する。
【００４４】
但し、図５（ａ）１および図５（ｂ）１に示すように焦点検出動作を行う焦点検出領域として所定縦列の上端の焦点検出領域が設定された状態でサブダイヤルＳＷの左回転操作が行われた場合および図５（ａ）５および図５（ｂ）５に示すように焦点検出動作を行う焦点検出領域として所定縦列の下端の焦点検出領域が設定された状態でサブダイヤルＳＷの右回転操作が行われた場合、すなわちサブダイヤルＳＷの操作が焦点検出可能範囲内から外に向けて行われた場合には、選択モードが任意選択モードから自動選択モードに変更される。これにより、スーパーインポーズ表示も、図５（ａ）６および図５（ｂ）６に示すように、図６（ａ）で示す表示状態となる。
【００４５】
また、図５（ａ）１および図５（ｂ）１に示すように焦点検出動作を行う焦点検出領域として所定縦列の上端の焦点検出領域が設定された状態でサブダイヤルＳＷの左回転操作が行われることにより図５（ａ）６および図５（ｂ）６に示すように自動選択モードが設定された後、さらにサブダイヤルＳＷの左回転操作が行われた場合、すなわちサブダイヤルＳＷの焦点検出可能範囲内から外に向けた操作によって自動選択モードが設定された後、さらにサブダイヤルＳＷの操作が焦点検出可能範囲外に向けて行われた場合には、選択モードが自動選択モードから任意選択モードに変更されるとともに、図５（ａ）５および図５（ｂ）５に示すように焦点検出動作を行う焦点検出領域として、自動選択モードへの変更前の設定焦点検出領域とは反対側である所定縦列の下端の焦点検出領域が設定される。
【００４６】
同様に、図５（ａ）５および図５（ｂ）５に示すように焦点検出動作を行う焦点検出領域として所定縦列の下端の焦点検出領域が設定された状態でサブダイヤルＳＷの右回転操作が行われることにより図５（ａ）６および図５（ｂ）６に示すように自動選択モードが設定された後、さらにサブダイヤルＳＷの右回転操作が行われた場合には、選択モードが自動選択モードから任意選択モードに変更されるとともに、図５（ａ）１および図５（ｂ）１に示すように焦点検出動作を行う焦点検出領域として、自動選択モードへの変更前の設定焦点検出領域とは反対側である所定縦列の上端の焦点検出領域が設定される。
【００４７】
次に、ステップ＃２３において、メインダイヤルＳＷからの信号に変化があったか否かを判別し、変化がなければステップ＃２０に、変化があればステップ＃２４に進む。ステップ＃２４においては、メインダイヤルＳＷからの信号変化がメインダイヤルＳＷの右方向回転操作に対応する変化であったときは、その変化量に応じて焦点検出動作を行う焦点検出領域を右方向に移動させる。一方、メインダイヤルＳＷからの信号変化がメインダイヤルＳＷの左方向回転操作に対応する変化であったときは、その変化量に応じて焦点検出動作を行う焦点検出領域を左方向に移動させる。また、これら焦点検出領域の移動に伴い、移動後の焦点検出領域をスーパーインポーズ表示させる。
【００４８】
具体的には、図５（ｄ）１又は４に示すように所定横列の左端又は右端の１点が焦点検出動作を行う焦点検出領域として設定された状態でメインダイヤルＳＷの回転操作が行われると、図５（ｄ）１〜４に示すように、焦点検出動作を行う焦点検出領域が上記所定横列中で右方向又は左方向に移動する。
【００４９】
なお、図５（ｅ）に示すように、例えば左端の２点が焦点検出動作を行う焦点検出領域として設定された状態でメインダイヤルＳＷの右方向回転操作が行われると、図５（ｄ）２に示すように、焦点検出動作を行う焦点検出領域が上記２点のうち右側の１点のみに設定される。但し、上記右側の１点が設定された状態でメインダイヤルＳＷが左方向回転操作されたときは、図５（ｅ）に示す設定状態には戻らず、図５（ｄ）１に示す設定状態になる。また、上記左端の２点が焦点検出動作を行う焦点検出領域として設定された状態でメインダイヤルＳＷの左方向回転操作が行われると、図５（ｄ）１に示すように、焦点検出動作を行う焦点検出領域が上記２点のうち左側の１点のみに設定される。
【００５０】
同様に、図示はしないが、右端の２点が焦点検出動作を行う焦点検出領域として設定された状態でメインダイヤルＳＷの左方向回転操作が行われると、焦点検出動作を行う焦点検出領域が上記２点のうち左側の１点のみに設定され、この状態でメインダイヤルＳＷが右方向回転操作されたときは、もとの２点設定状態には戻らず、図５（ｄ）４に示す設定状態になる。また、上記右端の２点が焦点検出動作を行う焦点検出領域として設定された状態でメインダイヤルＳＷの右方向回転操作が行われると、図５（ｄ）４に示すように、焦点検出動作を行う焦点検出領域が上記２点のうち右側の１点のみに設定される。
【００５１】
さらに、図５（ｄ）１に示すように焦点検出動作を行う焦点検出領域として所定横列の左端の焦点検出領域が設定された状態でメインダイヤルＳＷの左回転操作が行われた場合および図５（ｄ）４に示すように焦点検出動作を行う焦点検出領域として所定横列の右端の焦点検出領域が設定された状態でメインダイヤルＳＷの右回転操作が行われた場合、すなわちメインダイヤルＳＷの操作が焦点検出可能範囲内から外に向けて行われた場合には、選択モードが任意選択モードから自動選択モードに変更される。これにより、スーパーインポーズ表示も、図５（ｄ）５に示すように、図６（ａ）で示す表示状態となる。
【００５２】
また、図５（ｄ）１に示すように焦点検出動作を行う焦点検出領域として所定横列の左端の焦点検出領域が設定された状態でメインダイヤルＳＷの左回転操作が行われることにより図５（ｄ）５に示すように自動選択モードが設定された後、さらにメインダイヤルＳＷの左回転操作が行われた場合、すなわちメインダイヤルＳＷの焦点検出可能範囲内から外に向けた操作によって自動選択モードが設定された後、さらにメインダイヤルＳＷの操作が焦点検出可能範囲外に向けて行われた場合には、選択モードが自動選択モードから任意選択モードに変更されるとともに、図５（ｄ）４に示すように焦点検出動作を行う焦点検出領域として、自動選択モードへの変更前の設定焦点検出領域とは反対側である所定横列の右端の焦点検出領域が設定される。
【００５３】
同様に、図５（ｄ）４に示すように焦点検出動作を行う焦点検出領域として所定横列の右端の焦点検出領域が設定された状態でメインダイヤルＳＷの右回転操作が行われることにより図５（ｄ）５に示すように自動選択モードが設定された後、さらにメインダイヤルＳＷの右回転操作が行われた場合には、選択モードが自動選択モードから任意選択モードに変更されるとともに、図５（ｄ）１に示すように焦点検出動作を行う焦点検出領域として、自動選択モードへの変更前の設定焦点検出領域とは反対側である所定横列の左端の焦点検出領域が設定される。一方、例えば図５（ｃ）１〜５に示すように、サブダイヤルＳＷの左回転操作により焦点検出動作を行う焦点検出領域が下端まで移動した状態でサブダイヤルＳＷが左回転操作されて図５（ｃ）６に示すように自動選択モードが設定された後、メインダイヤルＳＷが右又は左回転操作されたときは、図５（ｃ）７に示すように、選択モードが任意選択モードに変更されるとともに、焦点検出動作を行う焦点検出領域として、図５（ｃ）５に示す下端の焦点検出領域、すなわち自動選択モードに移行する前の焦点検出領域が設定される。なお、同様に、サブダイヤルＳＷの右回転操作により焦点検出動作を行う焦点検出領域が上端まで移動した状態でサブダイヤルＳＷが右回転操作されて自動選択モードが設定された後、メインダイヤルＳＷが右又は左回転操作されたときは、選択モードが任意選択モードに変更されるとともに、焦点検出動作を行う焦点検出領域として上端の焦点検出領域、すなわち自動選択モードに移行する前の焦点検出領域が設定される。また、例えば図５（ｆ）１〜４に示すように、メインダイヤルＳＷの右回転操作により焦点検出動作を行う焦点検出領域が右端まで移動した状態でメインダイヤルＳＷが右回転操作されて図５（ｆ）５に示すように自動選択モードが設定された後、サブダイヤルＳＷが右又は左回転操作されたときは、図５（ｆ）６に示すように、選択モードが任意選択モードに変更されるとともに、焦点検出動作を行う焦点検出領域として、図５（ｆ）４に示す右端の焦点検出領域、すなわち自動選択モードに移行する前の焦点検出領域が設定される。なお、同様に、メインダイヤルＳＷの左回転操作により焦点検出動作を行う焦点検出領域が左端まで移動した状態でメインダイヤルＳＷが左回転操作されて自動選択モードが設定された後、サブダイヤルＳＷが右又は左回転操作されたときは、選択モードが任意選択モードに変更されるとともに、焦点検出動作を行う焦点検出領域として左端の焦点検出領域、すなわち自動選択モードに移行する前の焦点検出領域が設定される。
【００５４】
次に、図４（ａ）に示すステップ＃０６では、スイッチＳＷ１がオフか否かを判別し、オフならばステップ＃０７に進んで撮影情報をＥＥＰＲＯＭ１００ｂに書き込み、プログラムを終了する。一方、ＳＷ１がオンならばステップ＃０８へ進む。
【００５５】
ステップ＃０８では、焦点検出領域選択モードに応じて焦点検出回路１０３に焦点検出動作を行わせる。そして、ステップ＃０９に進み、ステップ＃０８での焦点検出動作による焦点検出状態によりレンズ制御回路３９を制御し、レンズの焦点調節を行う。そして、次のステップ＃１０において、測光回路１０４からの被写体の輝度情報により露出量を決定する。
【００５６】
続くステップ＃１１では、スイッチＳＷ２がオフか否かを判別し、オフであればステップ＃０３に戻る。一方、スイッチＳＷ２がオンであればステップ＃１２に進み、フィルム露光を行うためのレリーズ制御を行う。具体的には、露光動作に先立って主ミラー２をアップさせ、撮影光路から待避させる。次に、レンズ制御回路３９を介してレンズ内の絞り３１が決められた露光量に基づく絞り量になるように駆動する。そして、シャッター制御回路１０５を介して決められた露光量に基づくシャッター開放時間（シャッタースピード）になるようにシャッターを制御し、露光を完了させる。その後、撮影光路から待避された主ミラー２をダウンさせ、再び撮影光路内に斜設させる。
【００５７】
次に、ステップ＃１３に進み、フィルムの１駒巻き上げのためにモータ制御回路１０６を通じてモータＭを駆動し、フィルム給送を行う。そしてフィルム走行検知回路１０７からのフィルム給送完了信号を受けた時点でフィルム給送を終了させ、ステップ＃０３に戻る。
【００５８】
（第２実施形態）
第１実施形態においては、自動選択モードの設定のときに、図６（ａ）に示すように焦点検出可能範囲（焦点検出領域２０１〜２４５）の外周を構成する焦点検出領域のうち一部の領域のみをスーパーインポーズ表示する場合について説明したが（図５（ａ）６，図５（ｂ）６，図５（ｃ）６，図５（ｄ）５および図５（ｆ）５参照）、図６（ａ）のような表示パターンに代えて、図６（ｃ）に示すように焦点検出可能範囲の外周を構成する全ての焦点検出領域をスーパーインポーズ表示するようにしてもよい。
【００５９】
なお、上記各実施形態では、焦点検出領域が観察画面内で横方向および縦方向に複数ずつ配置された場合について説明したが、本発明は、焦点検出領域が観察画面内で横および縦方向の少なくとも一方向に１列配置されている場合（例えば、横１列や十字状に配置されている場合）にも適用できる。この場合、自動選択モード設定時には、焦点検出領域列の両端の焦点検出領域をスーパーインポーズ表示させるようにすればよい。また、上記焦点検出領域列（焦点検出可能範囲）の一端の焦点検出領域が焦点検出動作を行う領域として設定されている状態で焦点検出可能範囲外に向けた選択操作（例えば、メインダイヤルＳＷの操作）が行われたときには、上記焦点検出領域列の他端の焦点検出領域を焦点検出動作を行う領域として設定するようにしてもよい。
【００６０】
また、上記各実施形態では、自動選択モード設定時に全焦点検出領域で焦点検出動作を行う場合について説明したが、本発明は、自動選択モード設定時に全焦点検出領域のうち一部の領域（例えば、観察画面の中央近傍の焦点検出領域群）で焦点検出動作を行う場合にも適用することができる。
【００６１】
【発明の効果】
以上説明したように、本発明によれば、自動選択モード設定時において複数の焦点検出領域のうち一部の焦点検出領域のみをスーパーインポーズ表示するようにしたので、焦点検出領域が多数設けられている場合にこれら全ての焦点検出領域がスーパーインポーズ表示される場合に比べて、撮影者にファインダー観察を良好に行わせことができる。しかも、任意選択モード設定時とは異なるパターンで表示するため、自動選択モードが設定されていることを明確に認識させることができる。
【図面の簡単な説明】
【図１】本発明の第１実施形態である一眼レフレックスカメラの光学配置を示す構成図である。
【図２】上記カメラのファインダー視野図である。
【図３】上記カメラの電気回路のブロック図である。
【図４】上記カメラの動作を示すフローチャートである。
【図５】上記カメラにおける焦点検出領域移動処理動作およびスーパーインポーズ表示を示す説明図である。
【図６】上記カメラにおけるスーパーインポーズ表示を示す説明図である。
【符号の説明】
６ｆ  焦点検出用エリアセンサ
１５  焦点検出領域表示用液晶パネル
１００  ＭＰＵ
１０２  液晶表示回路
２０１〜２４５  焦点検出領域
【図１】
0004095142.tif 000002
【図２】
0004095142.tif 000003
【図３】
0004095142.tif 000004
【図４】
0004095142.tif 000005
【図５】
0004095142.tif 000006
【図６】
0004095142.tif 000007